(57)【要約】【課題】  大型で多様化している駐車場や駐輪場を、比較的簡単なシステムを用いて総合的に管理運営できるように工夫した多目的型駐車場管理システムを提供する。【解決手段】  駐車料金精算装置１０に複数の外部通信部２８Ａ，２８Ｂ，２８Ｃを設け、これ等各外部通信部２８Ａ，２８Ｂ，２８Ｃに対して自動車、自転車、バイクといった各種乗り物用の駐車装置５０，６０，７０を種類別に接続して、各種乗り物の駐車料金の精算とロック装置の開閉を、種類別に管理する。【選択図】    図２
2008129909.tif 000002
【特許請求の範囲】
【請求項１】
自動車や自転車、或いは、バイクといった各種の乗り物を、種類毎に設けた各駐車手段に対して種類別に駐車させることによって、各種乗り物の駐車を総合的に管理するように構成した多目的型駐車場管理システムであって、
上記各種乗り物の駐車料金の精算と駐車ロックの開閉を管理する駐車料金精算装置に、複数の管理用通信手段を設け、これ等各管理用通信手段に対して上記乗り物の種類毎に設けられている各駐車手段を種類別に接続して、各種乗り物の駐車料金の精算と駐車ロックの開閉を種類別に管理することを特徴とする多目的型駐車場管理システム。
【請求項２】
上記駐車料金精算装置に設けられた管理用通信手段が、少なくとも２つ、又は、３つの複数個存在し、これ等複数の管理用通信手段のうち、１つは自動車用駐車手段としてのフラップ式駐車装置との間で通信を行い、他は自転車用駐車手段としての駐輪ロック装置との間で通信を行うと共に、更に他は、バイク用駐車手段としてのバイクロック装置との間で通信を行って、これ等自動車、自転車、バイクの３種類の乗り物、又は、これ等３種類の乗り物のうちの少なくとも２種類の乗り物の駐車料金の精算と駐車ロックの開閉を、夫々種類別に管理することを特徴とする請求項１に記載の多目的型駐車場管理システム。
【請求項３】
駐車場に設置された複数台の駐車料金精算装置の間をネットワーク接続して駐車場ネットワークを構築し、この駐車場ネットワークに対して駐車管理用サーバーを接続して、このサーバーに各駐車料金精算装置の入出庫時刻情報、精算金額情報、トラブル情報といった各種の駐車情報を収集させることにより、駐車場を総合的に管理することを特徴とする請求項１又は２に記載の多目的型駐車場管理システム。
【請求項４】
前記各自動車用のフラップ式駐車装置と各自転車用の駐輪ロック装置、及び、各バイクロック装置の夫々にユニークな装置番号を付し、前記ネットワーク接続されたいずれかの駐車料金精算装置にこの装置番号を入力すると、当該自動車或いは自転車、若しくは、バイクの駐車料金が演算・表示され、この駐車料金の精算を済ませると、上記フラップ式駐車装置或いは駐輪ロック装置、若しくは、バイクロック装置のいずれかが解錠されて、上記自動車或いは自転車、若しくは、バイクの出庫を可能にすることを特徴とする請求項１、２又は３に記載の多目的型駐車場管理システム。
【請求項５】
前記ネットワーク接続された各駐車料金精算装置の夫々に、当該操作対象の駐車料金精算装置、及び、その他の駐車料金精算装置が管理した駐車台数及び精算料金を集計して表示、又は、プリントアウトする集計機能を具備せしめたことを特徴とする請求項１、２、３又は４に記載の多目的型駐車場管理システム。
【発明の詳細な説明】
【技術分野】
【０００１】
本発明は、駐車場管理システムに関するものであり、より具体的には、自動車の駐車だけでなく、バイクや自転車の駐車及び駐輪を総合的に管理することを可能にした多目的型駐車場管理システムに関するものである。
【背景技術】
【０００２】
近年、鉄道駅近郊の再開発にともない、駅に隣接した自転車やバイク等の駐輪場の設置が進んでいる。また最近では、道路交通法の一部改正による違法駐車の取締強化と民間業者委託などが原因で、駅前の駐車場の需要が逼迫してきており、さらに自動車だけではなく、バイクや自転車等の駐車と駐輪（以下単に駐車という）を総合的に管理できる大型駐車場施設の建設が要望されてきている。
【０００３】
そこで、例えば特許文献１に記載の「駐輪場管理装置」や、特許文献２に記載の「駐車場管理システム」が提案された。
【０００４】
上記特許文献１に記載の「駐輪場管理装置」は、複数の自転車収容手段に付設された管理手段を一括して管理する中央管理手段を設けて、駐輪場全体のトラブルや稼働状況など管理状況が管理されるようになっている。また、上記特許文献２に記載の「駐車場管理システム」は、駐車場の管理とレンタル自転車の管理とを統合したシステムの提案である。
【特許文献１】特許第３１２０２７１号公報
【特許文献２】特願２００３−３３１３９５号公報
【発明の開示】
【発明が解決しようとする課題】
【０００５】
ところが、上記特許文献１に記載の「駐輪場管理装置」では、駐輪場の大型化を想定した技術が開示されているものの、自動車用駐車場やバイク用駐車場との統合にまでは考慮されていないため、自動車とバイクや自転車の駐車を総合的に管理するという、上記の要望を達成できない問題がある。
【０００６】
また、上記特許文献２に記載の「駐車場管理システム」では、自動車用の駐車料金精算機にレンタル自転車の管理機能を持たせ、レンタル自転車と駐車場の運用を統合しているが、単に駐車料金精算機を多機能化しているに過ぎないため、一般的な大型駐車場・駐輪場の統合システムに容易に応用できない問題がある。
【０００７】
そこで本発明の技術的課題は、大型で多様化している駐車場や駐輪場を、比較的簡単なシステムを用いて総合的に管理運営できるように工夫した多目的型駐車場管理システムを提供することである。
【課題を解決するための手段】
【０００８】
（１）  上記の技術的課題を達成するために、本発明の請求項１に係る多目的型駐車場管理システムは、自動車や自転車、或いは、バイクといった各種の乗り物を、種類毎に設けた各駐車手段に対して種類別に駐車させることによって、各種乗り物の駐車を総合的に管理するように構成した多目的型駐車場管理システムであって、上記各種乗り物の駐車料金の収集と駐車ロックの開閉を管理する駐車料金精算装置に、複数の管理用通信手段を設け、これ等各管理用通信手段に対して上記乗り物の種類毎に設けられている各駐車手段を種類別に接続して、各種乗り物の駐車料金の精算と駐車ロックの開閉を種類別に管理することを特徴としている。
【０００９】
（２）  また、本発明の請求項２に係る多目的型駐車場管理システムは、上記駐車料金精算装置に設けられた管理用通信手段が、少なくとも２つ、又は、３つの複数個存在し、これ等複数の管理用通信手段のうち、１つは自動車用駐車手段としてのフラップ式駐車装置との間で通信を行い、他は自転車用駐車手段としての駐輪ロック装置との間で通信を行うと共に、更に他は、バイク用駐車手段としてのバイクロック装置との間で通信を行って、これ等自動車、自転車、バイクの３種類の乗り物、又は、これ等３種類の乗り物のうちの少なくとも２種類の乗り物の駐車料金の精算と駐車ロックの開閉を、夫々種類別に管理することを特徴としている。
【００１０】
（３）  また、本発明の請求項３に係る多目的型駐車場管理システムは、駐車場に設置された複数台の駐車料金精算装置の間をネットワーク接続して駐車場ネットワークを構築し、この駐車場ネットワークに対して駐車管理用サーバーを接続して、このサーバーに各駐車料金精算装置の入出庫時刻情報、精算金額情報、トラブル情報といった各種の駐車情報を収集させることにより、駐車場を総合的に管理することを特徴としている。
【００１１】
（４）また、本発明の請求項４に係る多目的型駐車場管理システムは、前記各自動車用のフラップ式駐車装置と各自転車用の駐輪ロック装置、及び、各バイクロック装置の夫々にユニークな装置番号を付し、前記ネットワーク接続されたいずれかの駐車料金精算装置にこの装置番号を入力すると、当該自動車或いは自転車、若しくは、バイクの駐車料金が演算・表示され、この駐車料金の精算を済ませると、上記フラップ式駐車装置或いは駐輪ロック装置、若しくは、バイクロック装置のいずれかが解錠されて、上記自動車或いは自転車、若しくは、バイクの出庫を可能にすることを特徴としている。  
【００１２】
（５）  更に、本発明の請求項５に係る多目的型駐車場管理システムは、前記ネットワーク接続された各駐車料金精算装置の夫々に、当該操作対象の駐車料金精算装置、及び、その他の駐車料金精算装置が管理した駐車台数及び精算料金を集計して表示、又は、プリントアウトする集計機能を具備せしめたことを特徴としている。
【００１３】
上記（１）で述べた請求項１に係る多目的型駐車場管理システムによれば、複数の管理用通信手段を用いることにより、複数の異なる駐車料金精算装置と通信を行うことを可能にするため、自動車や自転車、或いは、バイクといった各種乗り物の駐車（駐輪）を、総合的に管理することができるものであって、多様化した駐車場や駐輪場等の管理に利用することを可能にする。
【００１４】
上記（２）で述べた請求項２に係る多目的型駐車場管理システムによれば、自動車用のフラップ式駐車装置と、自転車用駐輪ロック装置と、バイク用のバイクロック装置のうち、少なくとも２種類又は３種類の駐車手段を組み合わせた、多種目・多用途の駐車管理に利用することを可能にする。
【００１５】
上記（３）で述べた請求項３に係る多目的型駐車場管理システムによれば、駐車管理用サーバーを介して複数台の駐車料金精算装置を総合的に管理することができるため、駐車管理用サーバーから先を回線網（ネットワーク）を介して他の駐車場管理センターと接続することで、遠隔地からでも多数の駐車場の駐車状況を一括管理・監視することを可能にする。
【００１６】
上記（４）で述べた請求項４に係る多目的型駐車場管理システムによれば、利用者がネットワーク接続されたいずれの駐車料金精算装置からでも、駐車料金の精算処理を行うことができるため、例えば、駐車場利用者が実際には駐車していない駐車場の駐車料金精算装置を用いて、他の駐車場に駐車している自動車や自転車等の駐車料金を精算することができるものであって、利用者の利便性を更に高めることを可能にする。
【００１７】
上記（５）で述べた請求項５に係る多目的型駐車場管理システムによれば、駐車場管理者がネットワーク接続されているどこの駐車料金精算装置からでも、各駐車場毎及び全駐車場の集計管理を行うことができるため、管理者の利便性を高めることを可能にする。
【発明の効果】
【００１８】
以上述べた次第で、本発明に係る駐車場管理システムによれば、大型で多様化した駐車場や駐輪場を総合的に、且つ、支障無く管理運営していくための管理システムが実現できるものであって、自動車用フラップ式駐車場とバイク用ロック装置と自転車用ロック装置が混在した大型駐輪・駐車場において実施して頗る有益なものである。
【発明を実施するための最良の形態】
【００１９】
以下に、上述した本発明に係る多目的型駐車場管理システムの実施の形態を図面と共に詳細に説明すると、図１は本発明で使用する駐車及び駐輪料金精算装置（以下単に駐車料金精算装置という）の外観を示した斜視図であって、符号１０で全体的に示したこの駐車料金精算装置の前扉１０Ｋに設けた前面パネル板１０Ｔには、その上段部に、駐車料金やその他のガイド等を表示する表示器１２（表示画面）と、利用者が駐車料金を精算する時に装置番号を入力したり、その他各種データ類を入力したりする場合に用いるテンキー１３と、図２に詳細に記載した各種操作用の操作キー１４と、駐車場管理者が設定モードに変更して設定操作する場合に使用する設定操作鍵１５が設けられている。
【００２０】
また、上記前面パネル板１０Ｔの中段部には、定期カードやプリペイドカードなどのカード類のカード挿入口１１Ｒと、駐車料金の精算時に紙幣を挿入する紙幣挿入口１８、及び、コインを投入する硬貨投入口１９が設けられ、当該前面パネル板１０Ｔの下段部には、係員呼び出し用の押しボタン１７及びインターホン２０と釣銭・領収証取出口２１が設けられ、更に、当該精算装置１０の下側前面部には、扉開閉鍵１６と開閉ハンドルが設けられている。
【００２１】
以上の如く構成した駐車料金精算装置１０は、駐車場又は駐輪場の任意の場所（具体的には出庫口等）に設置されていて、利用者がテンキー１３を操作して後述する駐車手段（駐車装置）の装置番号を入力すると、駐車時間（駐輪時間）とその料金が演算されて表示器１２に表示され、この表示された料金の精算が済むと、上記駐車手段のロックが外されて自動車やバイク、或いは、自転車の出場（出庫）が可能と成る仕組みに成っている。
【００２２】
図２は、上記駐車料金精算装置１０の電気的構造を説明したブロック図であって、図中、３０は制御部の中心を構成するＣＰＵ、３１はシステムプログラムやその他のプログラムを格納すると共に、駐車データの記憶部を備えたメモリー、３３はこれ等ＣＰＵ３０とメモリー３１の間にバス３２を介して接続したインターフェイスであって、このインターフェイス３３には、前記カード挿入口１１Ｒに挿入されたカード（図示省略）から各種のデータを読み取るカードリーダー１１と、前述した表示器１２及びテンキー１３と、前記操作キー１４を構成する精算キー１４Ａ、領収証キー１４Ｂ、受付券キー１４Ｃ、取消キー１５Ｄ、登録キー１５Ｅが接続され、更に、前記設定操作鍵１５の設定操作を検出する設定操作鍵センサー１５Ｓと、前記扉開閉鍵１６の操作にによる前扉１０Ｋの開放を検出する扉開センサー１６Ｓが接続されている。
【００２３】
また、上記の駐車料金精算装置１０は、駐車場管理者が設定操作鍵１５を操作すれば、設定操作鍵センサー１５Ｓの検知により装置が設定モードに移行し、上述した各種の操作キー１４Ａ〜１５Ｅとテンキー１３を駆使すれば、上記メモリー３１に格納されたプログラムに従って、各種の管理操作、例えば、料金集計・台数集計や、これ等各集計データの表示とプリントアウトが、上述した表示器１２と後述する領収証プリンタを利用して実施できる仕組みに成っている。
【００２４】
更に、上記のインターフェイス３３には、前述した領収証プリンタ２２に加えて、コインセレクタ２３、硬貨払い出し装置２４、紙幣リーダー２５、スピーカー２６、及び、前述したインターホン２０が接続されていて、上記駐車料金精算装置１０によれば、駐車料金の精算と釣銭の払い出し、及び、領収証の発行を、表示器１２による表示ガイドと音声ガイドを交えながら自動的に、且つ、円滑に行えるように構成されている。
【００２５】
加えて上記のインターフェイス３３には、駐車場に設置されている複数台の駐車料金精算装置１０…の間を接続することによって構築される駐車場ネットワークＰＮ（図４参照）に接続可能な、管理用通信手段としてのネットワーク用外部通信部２７と、後述する自動車用（フラップ用）中継装置１０Ｔと、バイク用（バイクロック用）中継装置１０Ｘと、自転車用（駐輪ロック用）中継装置１０Ｒ（いずれも図４参照）に接続可能な、管理用通信手段としての中継装置用外部通信部２８Ａ，２８Ｂ，２８Ｃが接続されていて、図４に示すように自動車５０Ｔとバイク７０Ｘと自転車６０Ｒの駐車及び駐輪を総合的に、又は、少なくとも２つの車種（例えば自動車と自転車）の駐車及び駐輪を合同で管理できる仕組みに成っている。
【００２６】
図３は、図４に示した駐車場ネットワークＰＮに接続して、前記各駐車料金精算装置１０…の入出庫時刻情報や、精算金額情報、トラブル情報といった各種の駐車情報を収集することにより、駐車場全体を総合的に管理できると共に、各駐車料金精算装置１０…のテンキー１３を操作して後述する駐車装置の夫々に付されているユニークな装置番号をキー入力することで、どこの駐車料金精算装置１０…からでも、駐車料金の精算処理を行うことができるように構成した駐車管理用サーバーとしての簡易サーバー４０の電気的構成を説明したブロック図である。
【００２７】
上記図３に示したブロック図において、４１は制御部の中心を構成するＣＰＵ、４２はシステムプログラムを格納したメモリーであって、このメモリー４２には各種の精算データを大量に保管することができる記憶装置４２Ｈが具備されている。４３はこれ等ＣＰＵ４１とメモリー４２の間を接続するバスで、このバス４３にはインターフェイス４４が接続されている。
【００２８】
上記簡易サーバー４０のインターフェイス４４には、操作キー４５と、表示器４６と、テンキー４７に加えて、ＬＡＮ接続用の外部通信部４８と、公衆回線網１００（図４参照）を接続するための外部通信部４９と、図４に記載の駐車場ネットワークＰＮを接続するための外部通信部５０が接続されていて、どこの駐車料金精算装置１０からでも、駐車料金の精算処理を実行できるように構成すると共に、この簡易サーバー４０から先を公衆回線網１００を介して他の駐車場管理センターと接続することで、遠隔地からでも多数の駐車場を一括で管理・監視できる仕組みに成っている。
【００２９】
また、上記の簡易サーバー４０は、上述した如く複数の外部通信部４８，４９，５０を有していて、ＬＡＮによる他の駐車管理装置とのネットワークや、公衆回線網への接続の可能性を有しており、更に、駐車場ネットワークＰＮに接続する外部通信部も複数個有しているが、これは、１つの外部通信部で接続可能な料金精算機には限界があるためで、複数設けることで接続可能台数を増設することを可能にしている。通常は、１つの外部通信部で数台の駐車料金精算装置１０を接続できるが、２個の外部通信部であれば、その倍の台数の駐車料金精算装置１０との接続が可能となる。
【００３０】
図４は、本発明に係る多目的型駐車場管理システムが実施された駐車場全体の構成を説明した構成図であって、図示の場合、上位に接続された各駐車料金精算装置１０Ａ，１０Ｂ，１０Ｃ毎に、駐車場のエリアが符号１０１，１０２，１０３で示すように駐車区画Ａ，Ｂ，Ｃに区画されているが、これは実施の一例であって、駐車場の区画形式が図示のものに限定されないことは勿論である。
【００３１】
また、図４では、符号１０１で示した駐車区画Ａには複数の自動車５０Ｔ用のフラップ式駐車装置５０…が、フラップ用中継装置１０Ｔを介して駐車料金精算装置１０Ａに接続されている。また、符号１０２で示した駐車区画Ｂには、複数の自転車６０Ｒ用の駐輪ロック装置６０…と、複数の自動車５０Ｔ用のフラップ式駐車装置５０…が、駐輪ロック用とフラップ用の各中継装置１０Ｒ，１０Ｔを介して駐車料金精算装置１０Ｂに接続されている。更に、符号１０３で示した駐車区画Ｃには、上記符号１０２で示した駐車区画Ｂの接続状態に加えて、複数のバイク７０Ｘ用のバイクロック装置７０…が、バイクロック用中継装置１０Ｘ…を介して駐車料金精算装置１０Ｃに接続されていて、これ等各駐車区画Ａ，Ｂ，Ｃの駐車料金精算装置１０Ａ，１０Ｂ，１０Ｃは、駐車場ネットワークＰＮを介して駐車管理用サーバーとしての簡易サーバー４０に接続しているが、これ等の接続形態も実施の一例であって、本発明の技術範囲が図示の接続状態にのみ限定されないことは勿論である。
【００３２】
尚、各々の駐車料金精算装置１０Ａ，１０Ｂ，１０Ｃには、接続可能な各中継装置１０Ｔ，１０Ｒ又は１０Ｘの数に限界があり、また、各中継装置１０Ｔ，１０Ｒ又は１０Ｘに接続される各フラップ式駐車装置５０、駐輪ロック装置６０、又は、バイクロック装置７０の数にも限界があるが、その限界の範囲内であれば、符号１０３で示した駐車区画Ｃの例に示すように、３種類の駐車装置５０，６０，７０を複数台設置することが可能となる。
【００３３】
また、上記各駐車装置５０，６０，７０の夫々には、図示した如く同一番号が２つと存在しないユニークな装置番号５０Ｚ，６０Ｚ，７０Ｚが各々割振られていて、これ等の各装置番号５０Ｚ，６０Ｚ，７０Ｚは、夫々各駐車料金精算装置１０Ａ，１０Ｂ，１０Ｃの各メモリー３１…に記憶されている。
【００３４】
更に簡易サーバー４０の記憶装置４２Ｈには、図５（Ａ）に示すように前記各駐車料金精算装置１０Ａ，１０Ｂ，１０Ｃ毎に記憶されている各装置番号５０Ｚ，６０Ｚ，７０Ｚを格納した車室設定データベース４０Ａと、図５（Ｂ）に示すように自動車５０Ｔ、自転車６０Ｒ、又は、バイク７０Ｘが入庫（駐車又は駐輪）している各装置番号５０Ｚ，６０Ｚ，７０Ｚ、及び、その入庫日付４０Ｘ並びに入庫時刻４０Ｙが記憶される入庫データベース４０Ｂと、精算が完了した車室の各装置番号５０Ｚ，６０Ｚ，７０Ｚ、及び、その出庫日付４０Ｔ並びに上記入庫時刻４０Ｘと出庫時刻４０Ｗが記憶される出庫履歴データベース４０Ｃが設けられていて、これ等各データベース４０Ａ，４０Ｂ，４０Ｃから各駐車装置５０，６０，７０の利用状況（駐車状況）を把握できる仕組みに成っている。
【００３５】
尚、上述した車室設定データベース４０Ａは、駐車場のレイアウトが変更されない限り、その内容が書き換えられることはない。また、上記の入庫データベース４０Ｂには、自動車５０Ｔ、自転車６０Ｒ、バイク７０Ｘが入庫される度に、その装置番号５０Ｚ，６０Ｚ又は７０Ｚと入庫日付４０Ｘ、及び、入庫時刻４０Ｙが書き込まれ、出庫した際にはこれ等の各データは削除される仕組みに成っている。更に、図示はしていないが、精算時の現金料金・定期券の利用料金・プリペイドカードの利用料金等、後で集計作業を行う際に必要な各種の精算データが、上記出庫履歴データベース４０Ｃに全て記憶されている。
【００３６】
次に、本発明の動作を図６と図７に示したフローチャートに従って説明する。図６は駐車料金精算装置１０側の動作フローであり、図７は駐車管理用サーバーとしての簡易サーバー４０側の動作フローを示したものである。尚、入庫動作に関しては前述した如く入庫情報が簡易サーバー４０の入庫データベース４０Ｂに逐一データが保存されていること以外は、通常の駐車場管理システムとの技術的差異は無いため、当該入庫動作の説明は省略することにする。
【００３７】
出庫動作に関しては、例えば、図４で符号１０１で示した駐車区画Ａの駐車料金精算装置１０Ａを用いて、符号１０３で示した管理範囲外（間接管理）の駐車区画Ｃに属するフラップ式駐車装置５０（装置番号５０Ｚが「２１４」）の駐車（駐輪）料金を精算する場合を想定すると、図６に示した始めのステップＳ１では、上記駐車料金精算装置１０Ａで装置番号を「２１４」と入力する。次いで、ステップＳ２に進んでこの装置番号「２１４」のデータベースが駐車料金精算装置１０Ａに存在するか否かが判定され、図示の実施例では装置番号「２１４」が存在しないため、ステップＳ８に進んで簡易サーバー４０へ丸付き符号「Ａ」のルートで上記精算中の装置番号「２１４」を送って、「装置番号２１４の精算要求が入った」という内容のメッセージを送信する。
【００３８】
ところが、ステップＳ１で入力された装置番号が例えば管理範囲内（直接管理）の駐車区画Ａに実在する「００９」であって、上記のステップＳ２で装置番号「００９」が有ると判断された場合、即ち、「精算可能」と判断された場合には、ステップＳ３に進んで駐車料金精算装置１０Ａによる精算処理が行われる。次いで、ステップＳ４に進んで再度装置番号「００９」が駐車料金精算装置１０Ａに存在するか否かが判定され、この装置番号「００９」は実在するため、次のステップＳ５に進んで、中継装置１０Ｔへロック解除信号を送って次のステップＳ６に進み、ステップＳ６で中継装置１０Ｔより出庫完了信号を受信すると、ステップＳ７に進んで簡易サーバー４０に対して精算済情報を丸付き符号「Ｄ」のルートで送信して処理を終える。しかし、上記のステップＳ４で装置番号が駐車料金精算装置１０Ａに無いと判断された場合、即ち、装置番号が例えば前述した「２１４」であるような場合には、ステップＳ１０に進んで簡易サーバー４０に対して精算済装置番号（例えば「２１４」）を丸付き符号「Ｂ」のルートで送信することになる。
【００３９】
一方、簡易サーバー４０側のフローチャートである図７において、簡易サーバー４０がステップＳ２０で、前記「Ａ」ルートにて駐車料金精算装置１０Ａから送信されて来た精算中の装置番号「２１４」を受信すると、ステップＳ２１に進んで前述した車室設定データベース４０Ａに当該装置番号「２１４」が存在するか否かが判定され、無い場合は、ステップＳ２７に進んで送信元である駐車料金精算装置１０Ａにエラーを送信して処理を終えるが、存在する場合は、ステップＳ２２に進んで送信元である上記駐車料金精算装置１０Ａに対して、丸付き符号「Ａ’」のルートで前記図６に示したステップＳ９に進んで、例えば「装置番号２１４の精算が可能」という内容の信号が返信されるため、前述したステップＳ３以降の精算処理が可能となる。
【００４０】
次いで、ステップＳ２３に進んで前述した「Ｂ」ルートにて図６に示した駐車料金精算装置１０Ａより精算済装置番号、例えば「２１４」を受信すると、次のステップＳ２４に進んで、簡易サーバー４０は、該当する駐車料金精算装置１０Ｃに対して、例えば「装置番号２１４の精算完了・ロック解除」という内容の信号を、丸付き符号「Ｃ」のルートで送信して、この信号を図６に示したステップＳ１１で駐車場ネットワークＰＮを介して当該装置番号「２１４」の駐車装置５０Ｔが設けられている符号１０３で示す駐車区画Ｃの駐車料金精算装置１０Ｃが受信するため、図６に示したステップＳ５に従ってこの駐車料金精算装置１０Ｃが中継装置１０Ｔに上記装置番号「２１４」で示されている駐車装置５０Ｔのロックを外して、（この場合はフラップ装置「２１４」の図示しないフラップ板を倒すように駆動して）出庫可能にする。
【００４１】
続いて、上記装置番号「２１４」を入力した送信元である上記駐車料金精算装置１０Ａでは、装置番号「２１４」のロックを外した後、出庫完了を待ち、出庫が完了したら簡易サーバー４０へ前記「Ｄ」ルートを通して精算済み信号と出庫日時、及び、精算料金等の情報を送り、簡易サーバー４０では、これ等の情報をステップＳ２５で受信すると、ステップＳ２６に進んで出庫履歴データベース４０Ｃを書換えて、処理を終える。
【００４２】
以上の如く構成することで、別の区画に設置された管理範囲外の駐車料金精算装置１０Ａ、１０Ｂ、又は、１０Ｃからでも、所望の区画に属する駐車装置５０、６０、又は、７０の精算処理が可能と成り、利用者にとって利便性に優れた駐車場システムを提供することができる。
【００４３】
また、同様に簡易サーバー４０のデータベース４０Ｃを照合することで、どの駐車料金精算装置１０Ａ〜１０Ｃからでも所望の料金精算装置の料金集計・台数集計などを行うことが可能で、全体を合算した総合的な料金集計や台数集計等をどの駐車料金精算装置１０Ａ〜１０Ｃからでも行い、適宜領収証プリンタ２２にて印字出力することができ、管理者にとっても利便性が良い。
【００４４】
また、１つの駐車料金精算装置１０Ａ、１０Ｂ、又は、１０Ｃが故障、領収証用紙切れ、などがあっても、簡易サーバー４０に保存してあるデータを利用して、他の装置での精算や領収証の発行が容易に実現でき、大型で複雑化する大規模駐車場・駐輪場などに使用して好適なシステムが実現できる。
【図面の簡単な説明】
【００４５】
【図１】本発明が実施された駐車場で使用される駐車料金精算装置の外観の一例を示した斜視図。
【図２】本発明が実施された駐車場で使用される駐車料金精算装置の内部構成の一例を示したブロック図。
【図３】本発明が実施された駐車場で使用される簡易サーバーの内部構成の一例を示したブロック図。
【図４】本発明が実施された駐車場の構成の一例を示したネットワーク接続図。
【図５】本発明で使用される簡易サーバーの各種ＤＢの一例を示した概念図。
【図６】本発明が実施された駐車場で使用される駐車料金精算装置の出庫時の動作を示したフロー図。
【図７】本発明が実施された駐車場で使用される簡易サーバーの出庫時の動作を示したフロー図。
【符号の説明】
【００４６】
１０，１０Ａ０１０Ｂ，１０Ｃ      駐車料金精算装置
１０Ｔ，１０Ｒ，１０Ｘ            中継装置        
２７，２８Ａ，２８Ｂ，２８Ｃ      外部通信部
４０                              簡易サーバー
４０Ａ，４０Ｂ，４０Ｃ            データベース
５０                              フラップ式駐車装置
５０Ｔ                            自動車
６０                              駐輪ロック装置
６０Ｒ                            自転車
７０                              バイクロック装置
７０Ｘ                            バイク
１００                            公衆回線網
１０１，１０２，１０３            駐車区画
ＰＮ                              駐車場ネットワーク
【図１】
2008129909.tif 000003
【図２】
2008129909.tif 000004
【図３】
2008129909.tif 000005
【図４】
2008129909.tif 000006
【図５】
2008129909.tif 000007
【図６】
2008129909.tif 000008
【図７】
2008129909.tif 000009